(57)【要約】【課題】軽量で設計の自由度が向上し汎用性が向上された耐圧防爆容器を実現する。【解決手段】機器が内蔵された耐圧防爆容器において、汎用の機器を内蔵し耐圧が耐圧防爆規格を満足するインナーケースと、前記インナーケースを覆って設けられ蓋とケースとを有し蓋とケースの接合面の奥行き及びすきまが耐圧防爆規格を満足するアウターケースとを具備したことを特徴とする耐圧防爆容器である。【選択図】図１
2007100719.tif 000002
【特許請求の範囲】
【請求項１】
機器が内蔵された耐圧防爆容器において、
汎用の機器を内蔵し耐圧が耐圧防爆規格を満足するインナーケースと、
前記インナーケースを覆って設けられ蓋とケースとを有し蓋とケースの接合面の奥行き及びすきまが耐圧防爆規格で定められた規格寸法を満足するアウターケースと
を具備したことを特徴とする耐圧防爆容器。
【請求項２】
前記インナーケースは電気亜鉛めっき鋼板材が使用されたこと
を特徴とする請求項１記載の耐圧防爆容器。
【請求項３】
前記アウターケースは炭素繊維強化エンジニアリングプラスチック材よりなること
を特徴とする請求項１又は請求項２記載の耐圧防爆容器。
【発明の詳細な説明】
【技術分野】
【０００１】
本発明は、軽量で設計の自由度が向上し汎用性が向上された耐圧防爆容器に関するものである。
更に詳述すれば、危険場所で汎用機器の使用を可能にするための防爆ケースに関するものである。
【背景技術】
【０００２】
耐圧防爆容器に関連する先行技術文献としては次のようなものがある。
【０００３】
【非特許文献１】株式会社中村電機製作所ホームページ／耐圧防爆構造パソコンシステム、［平成１７年９月２１日検索］インターネット＜ＵＲＬ：http://www.ex-nakamura.co.jp/product/pasocon/pasocon.html。＞
【０００４】
図２は従来より一般に使用されている従来例の構成説明図で、内部にパソコンが内蔵された例である。
図２において、ケース１には汎用機器の一つであるパソコンＡが内蔵されている。
フランジ部３を有する蓋２は、ケース１の開口部に設けられている。
【０００５】
一般に耐圧防爆容器は以下のような制約で設計されている。
機器内部での爆発力に耐えうる剛性が必要である。
耐圧防爆規格で蓋２とケース１の接合面積は大きくとるよう定められている。
耐圧防爆規格で蓋２とケース１の隙間は小さくなるよう定められている。
要するに、耐圧防爆容器は、国際電気標準会議（ＩＥＣ）の規格に準拠する「技術的基準」により厳格に規定されている。
上述の「技術的基準」を満足するために、鋳造、ダイカストなど金属を主体とした防爆ケースが一般的に使用されている。
【発明の開示】
【発明が解決しようとする課題】
【０００６】
このような装置においては、以下の間題点がある。
一般的に防爆機器は専用に設計されている。そのため汎用機器が使えない。
即ち、汎用機器を防爆エリアで使うには、各機器ごとに専用に設計されたケースが必要となる。
一般に、上記に述べたように金属構造のためケースの重量は大きく、設計的自由度が少なくなってしまう。
「設計的自由度が少なくなってしまう」とは、単なる直線でデザインされた形状、規格を満たすため、例えば、丸みを帯びた弓型の大きな取手が本体と一体型になったような汎用ハンディー機器には適さない形状などを示す。
【０００７】
本発明の目的は、上記の課題を解決するもので、耐圧防爆容器に求められる機能を以下の２つの部品に分解し、軽量で設計的自由度が優れた耐圧防爆容器を提供することを目的とする。
１．規格で定められた接合面積、蓋とケースの隙間を確保し、設計的自由度が優れた材料で構成されたアウターケース。
２．爆発力に耐えうるよう強固な材料で構成されたインナーケース。
【課題を解決するための手段】
【０００８】
このような課題を達成するために、本発明では、請求項１の耐圧防爆容器においては、
機器が内蔵された耐圧防爆容器において、
汎用の機器を内蔵し耐圧が耐圧防爆規格を満足するインナーケースと、前記インナーケースを覆って設けられ蓋とケースとを有し蓋とケースの接合面の奥行き及びすきまが耐圧防爆規格で定められた規格寸法を満足するアウターケースとを具備したことを特徴とする。
【０００９】
本発明の請求項２の耐圧防爆容器においては、請求項１記載の耐圧防爆容器において、
前記インナーケースは電気亜鉛めっき鋼板材が使用されたことを特徴とする。
【００１０】
本発明の請求項３の耐圧防爆容器においては、請求項１又は請求項２記載の耐圧防爆容器において、
前記アウターケースは炭素繊維強化エンジニアリングプラスチック材よりなることを特徴とする。
【発明の効果】
【００１１】
本発明の請求項１によれば、次のような効果がある。
耐圧防爆容器に求められる機能を２つの部品に分解することより、耐圧防爆容器規格を満たしつつ、軽量で設計的自由度が優れた耐圧防爆容器が得られる。
また、内部に実装する機器が変わっても、インナーケースの設計変更をすれば良く、アウターケースは設計変更することなく、そのまま使用でき、外観を変えることがない耐圧防爆容器が得られる。
【００１２】
本発明の請求項２によれば、次のような効果がある。
インナーケースは電気亜鉛めっき鋼板材が使用されたので、容易に、耐圧が耐圧防爆規格の爆発力を満足する構成が確保でき、軽量な耐圧防爆容器が得られる。
【００１３】
本発明の請求項３によれば、次のような効果がある。
アウターケースは炭素繊維強化エンジニアリングプラスチック材よりなるので、容易に接合面の奥行き及びすきまが耐圧防爆規格を満足する構成が得られ、また成型加工などによりハンドルなどの機能向上が出来る形状、ロゴや説明文字などの彫り込みを一度に構成でき、軽量な耐圧防爆容器が得られる。
【発明を実施するための最良の形態】
【００１４】
以下本発明を図面を用いて詳細に説明する。
図１は本発明の一実施例の要部斜視説明図で、ハンディ機器が内蔵された例に付いて説明する。
【００１５】
図１において、ハンディ機器Ｂは、耐圧が耐圧防爆規格を満足するインナーケース１１に内蔵されている。
インナーケース１１は、インナーケースのケース１１１とインナーケースの蓋１１２とを有する。
【００１６】
この場合は、インナーケース１１は電気亜鉛めっき鋼板材が使用されている。
要するに、インナーケース１１は、耐圧が耐圧防爆規格の爆発力を満足する強度的に高い材料が使用される。
また、この場合は、蓋１１２にはガラス材よりなる窓１１３が設けられている。
インナーケース１１は、耐圧防爆容器内での爆発力に耐えうるように強固な材料で構成し、外観を気にせず強度に対して最適な構成(構造)を取ることが出来る。
【００１７】
アウターケース１２は、インナーケース１１を覆って設けられ、ケース１２１と蓋１２２とを有しケース１２１と蓋１２２との接合面の奥行き及びすきまが耐圧防爆規格で定められた規格寸法を満足する。
この場合は、アウターケース１２は炭素繊維強化エンジニアリングプラスチック材が使用されている。
【００１８】
更に、具体的には、例えば、変性ＰＰＯ樹脂（ノリル）を主体にした炭素繊維強化エンジニアリングプラスチック材、ＰＣ樹脂（レキサン）を主体にした炭素繊維強化エンジニアリングプラスチック材、ＰＢＴ樹脂（バロックス）を主体にした炭素繊維強化エンジニアリングプラスチック材が使用されている。
要するに、アウターケース１２は、設計自由度の高い材料が使用される。
また、この場合は、蓋１２２にはガラス材よりなる窓１２３が設けられている。
【００１９】
アウターケース１２は、耐圧防爆規格で定められた接合面積と接合スキマを満たすように肉厚の厚い形状となっている。
このため体積が大きくなり、なるべく軽い材料で構成しないと重量が大きくなってしまう。
【００２０】
そのためプラスチックなど軽量の材料を用いることにより、重量を抑えることが出来る。
またプラスチックは鋼などに比べ形状の自由度が大きく設計的自由度にすぐれたものを実現することが出来る。
【００２１】
爆発力をインナーケース１１で受けることにより、アウターケース１２は爆発力による変形が最小限となり、剛性はやや劣るが、軽量で加工性の良い材料を用いることができる。
【００２２】
この結果、
耐圧防爆容器に求められる機能を２つの部品に分解することより、耐圧防爆容器規格を満たしつつ、軽量で設計的自由度が優れた耐圧防爆容器が得られる。
また、内部に実装する機器が変わっても、インナーケース１１の設計変更をすれば良く、アウターケース１２は設計変更することなく、そのまま使用でき、外観を変えることがない安価な耐圧防爆容器が得られる。
【００２３】
インナーケース１１は電気亜鉛めっき鋼板材が使用されたので、容易に、耐圧が耐圧防爆規格の爆発力を満足する構成が確保でき、軽量な耐圧防爆容器が得られる。
【００２４】
アウターケース１２は炭素繊維強化エンジニアリングプラスチック材よりなるので、容易に接合面の奥行き及びすきまが耐圧防爆規格を満足する構成が得られ、また成型加工などによりハンドルなどの機能向上が出来る形状、ロゴや説明文字などの彫り込みを一度に構成でき、軽量な耐圧防爆容器が得られる。
【００２５】
なお、前述の実施例においては、ハンディ機器Ｂが内蔵されていると説明したが、これに限ることはなく、大きな機器、例えば汎用の設置タイプの機器が内蔵されても良いことは勿論である。
また、組み立て性向上などのために、インナーケース１１とアウターケース１２を一体化しても良いことは勿論である。
金属性のインナーケース１１を無線のアンテナに使うこともできる。また、一部に穴を開けてアンテナをアウターケース１２側に持っていくことも可能である。
【００２６】
なお、以上の説明は、本発明の説明および例示を目的として特定の好適な実施例を示したに過ぎない。
したがって本発明は、上記実施例に限定されることなく、その本質から逸脱しない範囲で更に多くの変更、変形をも含むものである。
【図面の簡単な説明】
【００２７】
【図１】本発明の一実施例の要部構成説明図である。
【図２】従来より一般に使用されている従来例の構成説明図である。
【符号の説明】
【００２８】
１      ケース
２      蓋
３      フランジ部
１１    インナーケース
１１１  インナーケースのケース
１１２  インナーケースの蓋
１１３  インナーケースの窓
１２    アウターケース
１２１  アウターケースのケース
１２２  アウターケースの蓋
１２３  アウターケースの窓
Ａ      パソコン
Ｂ      ハンディ機器
【図１】
2007100719.tif 000003
【図２】
2007100719.tif 000004